(57)【要約】【課題】  均一な輝度の映像を表示するようにした直流／直流の変換機とこれを利用した発光表示装置及びその駆動方法を提供。【解決手段】  複数の画素１４０を含む画像表示部１３０と、前記画素１４０に接続された走査線に走査信号の供給をするための走査駆動部１２０と、前記画素１４０に第１電源及び第２電源の供給をするための直流／直流の変換部１５０と、前記走査信号がターンオフ電圧に変化される時前記第１電源のリプル電圧を一定レベルで維持するための同期部１６０を備える。【選択図】            図６
2006091839.tif 000002
【特許請求の範囲】
【請求項１】
複数の画素を含む画像表示部と、
前記画素に接続された走査線に走査信号の供給をするための走査駆動部と、
前記画素に第１電源及び第２電源の供給をするための直流／直流変換部と、
前記走査信号がターンオフ電圧に変化する時、前記第１電源のリプル電圧を一定のレベルに維持するための同期部を備えることを特徴とする請求項１に記載の発光表示装置。
【請求項２】
前記直流／直流変換部は、所定の周波数を持つパルス信号を生成する発振機と、
前記パルス信号の供給を受け、第１スイッチング素子及び第２スイッチング素子を交互にターンオン及びターンオフさせるスイッチング制御部と、
前記第１スイッチング素子がターンオン及びターンオフされる期間に対応して前記第１電源を生成する第１電源生成部と、
前記第２スイッチング素子がターンオン及びターンオフされる期間に対応して第２電源を生成する第２電源生成部を備えることを特徴とする請求項１に記載の発光表示装置。
【請求項３】
前記同期部は前記走査駆動部から少なくとも一つの走査信号の供給を受けることを特徴とする請求項２に記載の発光表示装置。
【請求項４】
前記同期部は前記発振機と前記スイッチング制御部の間に接続され、前記走査信号と前記パルス信号を同期させ、前記同期されたパルス信号を前記スイッチング制御部に供給することを特徴とする請求項３に記載の発光表示装置。
【請求項５】
前記同期部は前記走査信号がターンオフ電圧に変化する時点と前記パルス信号の上昇エッジを同期させることを特徴とする請求項４に記載の発光表示装置。
【請求項６】
前記同期部は前記走査信号がターンオフ電圧に変化される時点と前記パルス信号の下降エッジを同期させることを特徴とする請求項４に記載の発光表示装置。
【請求項７】
前記同期部は前記直流／直流変換部の外部に設置されることを特徴とする請求項１に記載の発光表示装置。
【請求項８】
前記同期部は前記直流／直流変換部の内部に設置されることを特徴とする請求項１に記載の発光表示装置。
【請求項９】
前記画素に接続されたデータ線にデータ信号の供給をするためのデータ駆動部をさらに備えることを特徴とする請求項１に記載の発光表示装置。
【請求項１０】
前記画素の各々は、発光素子と、
第ｎ（ｎは自然数）走査線とデータ線の間に接続され、前記第ｎ走査線に走査信号が供給される時にターンオンされる第１トランジスタと、
前記第１トランジスタと前記第１電源の間に接続され、前記第１トランジスタがターンオンされる時、前記データ信号に対応される電圧を充電するためのストレージキャパシターと、
前記ストレージキャパシターに充電された電圧に対応される電流を前記発光素子に供給するための第２トランジスタをさらに備えることを特徴とする請求項９に記載の発光表示装置。
【請求項１１】
第１電源と第１トランジスタの間に接続され、第ｎ−１走査線に走査信号が供給される時に、ターンオンされる第３トランジスタと、
前記第２トランジスタのゲート端子と第２端子の間に接続され、前記第ｎ−１走査線に走査信号が給される時に、ターンオンされる第４トランジスタと、
前記第２トランジスタのゲート端子と前記ストレージキャパシターの間に設置され、前記第３トランジスタ及び第４トランジスタがターンオフされる時に、前記第２トランジスタの閾値電圧に対応される電圧を充電するための補償キャパシターと、
前記第２トランジスタと前記発光素子の間に設置され、発光制御線によって制御される第５トランジスタをさらに備えることを特徴とする請求項１０に記載の発光表示装置。
【請求項１２】
前記直流／直流変換部は、所定の周波数を持つパルス信号を生成する発振機と、
前記パルス信号の供給を受けて第１スイッチング素子をターンオン及びターンオフさせるスイッチング制御部と、
前記第３トランジスタがターンオン及びターンオフされる期間に対応して前記第１電源を生成する第１電源生成部を具備し、
前記直流／直流変換機は外部から供給される第２電源を前記画素に供給することを特徴とする請求項１に記載の発光表示装置。
【請求項１３】
所定の周波数を持つパルス信号を生成する発振機と、
前記パルス信号と外部から供給される走査信号を同期させるための同期部と、
前記同期部から同期されて出力されるパルス信号の供給を受け、第１スイッチング素子及び第２スイッチング素子を交互にターンオン及びターンオフさせるスイッチング制御部と、
前記第１スイッチング素子がターンオン及びターンオフされる期間に対応して第１電源を生成する第１電源生成部と、
前記第２スイッチング素子がターンオン及びターンオフされる期間に対応する第２電源を生成する第２電源生成部を備えることを特徴とする請求項１に記載の直流／直流変換機。
【請求項１４】
前記同期部は前記走査信号がターンオフ電圧に変化する時点と前記パルス信号の上昇エッジを同期させることを特徴とする請求項１３に記載の直流／直流変換機。
【請求項１５】
前記同期部は前記走査信号がターンオフ電圧に変化する時点と前記パルス信号の下降エッジを同期させることを特徴とする請求項１３に記載の直流／直流変換機。
【請求項１６】
走査信号の供給を受ける走査線と、
データ信号の供給を受けるデータ線に接続される画素を含む発光表示装置の駆動方法において、
所定の周波数を持つ第１パルス信号を生成する段階と、
前記第１パルス信号と前記走査信号を同期させて第２パルス信号を生成する段階と、
前記第２パルス信号を利用して前記画素に供給される第１電源及び第２電源を生成する段階を含むことを特徴とする請求項１に記載の発光表示装置の駆動方法。
【請求項１７】
前記走査信号がターンオフ電圧に変化される時点に、前記第１パルス信号の上昇エッジを同期させて前記第２パルス信号を生成することを特徴とする請求項１６に記載の発光表示装置の駆動方法。
【請求項１８】
前記走査信号がターンオフ電圧に変化される時点と前記第１パルス信号の下降エッジを同期させて前記第２パルス信号を生成することを特徴とする請求項１６に記載の発光表示装置の駆動方法。
【発明の詳細な説明】
【技術分野】
【０００１】
本発明は、直流／直流変換機とこれを利用した発光表示装置及びその駆動方法に関し、特に、均一な輝度の映像を表示するようにした直流／直流変換機とこれを利用した発光表示装置及びその駆動方法に関する。
【背景技術】
【０００２】
最近、陰極線管（ＣＲＴ）の短所である重さと体積を減らすことができる各種平板表示装置が開発されている。平板表示装置としては、液晶表示装置（ＬＣＤ）、電界放出表示装置（ＦＥＤ）、フラズマディスプレー（ＰＤＰ）、及び発光表示装置（Ｌｉｇｈｔ  Ｅｍｉｔｔｉｎｇ  Ｄｉｓｐｌａｙ）などがある。
【０００３】
平板表示装置の中で発光表示装置は、電子と正孔の再結合によって所定の光を生成する自発光素子である。このような、発光表示装置は速い応答速度を有するとともに低い消費電力で駆動されるという長所がある。
【０００４】
図１は、従来の発光表示装置を示す図である。図２は、走査駆動部及びデータ駆動部から供給される駆動信号を示す図である。
【０００５】
図１及び図２を参照すれば、従来の発光表示装置は走査線Ｓ１ないしＳｎ及びデータ線Ｄ１ないしＤｍの交差領域に形成された画素４０を含む画像表示部３０と、走査線Ｓ１ないしＳｎを駆動するための走査駆動部２０と、データ線Ｄ１ないしＤｍを駆動するためのデータ駆動部１０と、画素４０に第１電源ＶＤＤ及び第２電源ＶＳＳを供給するためのＤＣ／ＤＣコンバータ５０を備える。
【０００６】
走査駆動部２０は、走査信号を生成し、生成された走査信号を図２のように第１走査線Ｓ１ないし第ｎ走査線Ｓｎに順次供給する。すると、水平ライン単位で画素４０が順次選択される。
【０００７】
データ駆動部１０は、図２のように走査信号が供給される度にデータ線Ｄ１ないしＤｍにデータ信号ＤＳを供給する。すると、走査信号によって選択された画素４０にデータ信号ＤＳが供給され、これによって画素４０からデータ信号ＤＳに対応される光が発生される。
【０００８】
ＤＣ／ＤＣコンバータ５０は、図示されていない外部電源部から供給される電圧を利用して第１電源ＶＤＤ及び第２電源ＶＳＳを生成し、生成された第１電源ＶＤＤ及び第２電源ＶＳＳを各々の画素４０に供給する。
【０００９】
画像表示部３０は、複数の画素４０を備える。画素４０各々は自身に供給されるデータ信号ＤＳに対応される電流を発光素子ＯＬＥＤに供給して画像表示部３０から所定の画像が表示されるようにする。このために、画素４０各々は発光素子ＯＬＥＤと、データ線Ｄ及び走査線Ｓに接続されて発光素子ＯＬＥＤを制御するための画素回路４２を備える。発光素子ＯＬＥＤのアノード電極は画素回路４２に接続され、カソード電極は第２電源ＶＳＳに接続される。このような発光素子ＯＬＥＤは画素回路４２から供給される電流に対応される光を発生する。
【００１０】
画素回路４２は、第１トランジスタＭ１、第２トランジスタＭ２及びストレージキャパシターＣを備える。第１トランジスタＭ１は走査信号が供給される時にターンオンされ、データ信号をストレージキャパシターＣに供給する。ストレージキャパシターＣは第１トランジスタＭ１がターンオンされる時にデータ信号に対応される電圧を充電する。
【００１１】
第２トランジスタＭ２はストレージキャパシターＣに充電された電圧に対応されて第１電源ＶＤＤから発光素子ＯＬＥＤに流れる電流量を制御する。すると、発光素子ＯＬＥＤからデータ信号に対応される光が発生される。
【００１２】
図３は図１に示されたＤＣ／ＤＣコンバータを示すブロック図である。
【００１３】
図３を参照すれば、従来のＤＣ／ＤＣコンバータ５０は発振機５１、スイッチング制御部５２、第１電源生成部５３及び第２電源生成部５４を備える。
【００１４】
発振機５１は、所定の周波数を持つパルスを生成してスイッチング制御部５２に供給する。実際に、現在常用化されたほとんどのＤＣ／ＤＣコンバータ５０は所定の動作周波数が定められている。従って、発振機５１はあらかじめ設定された周波数を持つパルスを生成してスイッチング制御部５２に供給する。
【００１５】
スイッチング制御部５２は、発振機５１から供給される周波数の一周期の間第３トランジスタＭ３及び第４トランジスタＭ４を交互にターンオンさせる。
【００１６】
第３トランジスタＭ３がターンオン及びターンオフされる期間に対応して第１電源ＶＤＤが生成され、生成された第１電源ＶＤＤが画素４０に供給される。そして第４トランジスタＭ４がターンオン及びターンオフされる期間に対応して第２電源ＶＳＳが生成され、生成された第２電源ＶＳＳが画素４０に供給される。
【００１７】
しかし、上述したような方式で駆動される従来の発光表示装置は第１電源ＶＤＤのリプル（Ｒｉｐｐｌｅ）によって同一のデータを供給する場合にも画素が接続される走査線の位置及びフレームごとに各々互いに異なる輝度の光が発生されるという問題がある。
【００１８】
図４を参照してこれを詳細に説明すると、まず第１走査線Ｓ１に走査信号を供給すると第１トランジスタＭ１がターンオンされる。第１トランジスタＭ１がターンオンされるとストレージキャパシターＣの一方にデータ信号が供給され、ストレージキャパシターＣの他方に第１電源ＶＤＤが供給されるため、ストレージキャパシターＣには所定の電圧が充電される。ここで、ストレージキャパシターＣに充電される電圧値は、走査信号が上昇されて第１トランジスタＭ１がターンオフされる時点に決定される。つまり、第１トランジスタＭ１がターンオフされる時点に第１電源ＶＤＤはリプルによって任意の電圧レベル（例えば第１電圧Ｖ１）に設定され、この第１電圧Ｖ１とデータ信号の差電圧に対応される電圧がストレージキャパシターＣに充電される。
【００１９】
同様に、第５走査線Ｓ５に走査信号が供給される時、第５走査線Ｓ５に接続された第１トランジスタＭ１がターンオンされる。第１トランジスタＭ１がターンオンされるとストレージキャパシターＣの一方にデータ信号が供給され、ストレージキャパシターＣの他方に第１電源ＶＤＤが供給されるため、ストレージキャパシターＣには所定の電圧が充電される。ここで、ストレージキャパシターＣに充電される電圧値は、走査信号が上昇されて第１トランジスタＭ１がターンオフされる時点に決定される。つまり、第１トランジスタＭ１がターンオフされる時点に第１電源ＶＤＤはリプルによって任意の電圧レベル（例えば第２電圧Ｖ２）に決定され、この第２電圧Ｖ２とデータ信号の差電圧に対応される電圧がストレージキャパシターＣに充電される。
【００２０】
即ち、従来には第１電源ＶＤＤのリプルによって同一のデータ信号を印加したとしても水平ラインごとにストレージキャバスタＣには各々互いに異なる電圧が充電される。つまり、走査信号がターンオフされる時点に第１電源ＶＤＤのリプル電圧が互いに異なるように設定されるため、第１走査線Ｓ１に接続された画素４０と第５走査線Ｓ５に接続された画素４０に同一のデータ信号を印加したとしても各々互いに異なる輝度の光が発生される。そして、第１電源ＶＤＤのリプルによって同一のデータ信号を印加したとしてもフレームごとに輝度偏差が発生される。
【００２１】
図５はフレームごとに発生される輝度偏差を示すグラフである。
【００２２】
図５を参照すれば、同一の画素４０に同一のデータ信号を供給しても第１電源ＶＤＤのリプルによって画素４０から発光素子ＯＬＥＤに流れる電流はフレームごとに異なるように設定される。実際に、第１フレーム１Ｆから発光素子ＯＬＥＤに流れる電流は約２５８．４ｎＡ、第２フレーム２Ｆから発光素子ＯＬＥＤに流れる電流は約２７８．３ｎＡ、第３フレーム３Ｆから発光素子ＯＬＥＤに流れる電流は約２７５．６ｎＡ、第４フレーム４Ｆから発光素子ＯＬＥＤに流れる電流は約２７５．８ｎＡ、第５フレーム５Ｆから発光素子ＯＬＥＤに流れる電流は約２８４．４ｎＡに設定される。このように同一の階調値を持つデータ信号を印加する時、フレームごとに発光素子ＯＬＥＤに流れる電流値が異なるように設定されるとフレーム間の輝度偏差が発生されて画質が低下されるという問題が発生する。
【００２３】
なお、前記従来の発光表示装置およびその駆動方法を記載した文献としては、液晶表示装置の駆動電圧発生回路を開示する下記特許文献１がある。
【特許文献１】韓国特許公開第１９９８−００１５３２３号明細書
【発明の開示】
【発明が解決しようとする課題】
【００２４】
従って、本発明の目的は均一な輝度の映像を表示するようにした直流／直流の変換機とこれを利用した発光表示装置及びその駆動方法を提供することである。
【課題を解決するための手段】
【００２５】
前記目的を達成するために、本発明の第１側面は、複数の画素を含む画像表示部と、前記画素に接続された走査線に走査信号の供給をするための走査駆動部と、前記画素に第１電源及び第２電源の供給をするための直流／直流変換部と、前記走査信号がターンオフ電圧に変化する時、前記第１電源のリプル電圧を一定のレベルに維持するための同期部を備える発光表示装置を提供する。
【００２６】
より好ましくは、前記直流／直流変換部は、所定の周波数を持つパルス信号を生成する発振機と、前記パルス信号の供給を受け、第１スイッチング素子及び第２スイッチング素子を交互にターンオン及びターンオフさせるスイッチング制御部と、前記第１スイッチング素子がターンオン及びターンオフされる期間に対応して前記第１電源を生成する第１電源生成部と、前記第２スイッチング素子がターンオン及びターンオフされる期間に対応して第２電源を生成する第２電源生成部を備える。
【００２７】
また、前記同期部は前記走査信号がターンオフ電圧に変化する時点と前記パルス信号の上昇エッジを同期させる。
【００２８】
前記目的を達成するために、本発明の第２側面は、所定の周波数を持つパルス信号を生成する発振機と、前記パルス信号と外部から供給される走査信号を同期させるための同期部と、前記同期部から同期されて出力されるパルス信号の供給を受け、第１スイッチング素子及び第２スイッチング素子を交互にターンオン及びターンオフさせるスイッチング制御部と、前記第１スイッチング素子がターンオン及びターンオフされる期間に対応して第１電源を生成する第１電源生成部と、前記第２スイッチング素子がターンオン及びターンオフされる期間に対応する第２電源を生成する第２電源生成部を備えることを特徴とする請求項１に記載の直流／直流変換機を提供する。
【００２９】
より好ましくは、前記同期部は前記走査信号がターンオフ電圧に変化する時点と前記パルス信号の上昇エッジを同期させる。
【００３０】
また、前記同期部は前記走査信号がターンオフ電圧に変化する時点と前記パルス信号の下降エッジを同期させる。
【００３１】
前記目的を達成するために、本発明の第３側面は、走査信号の供給を受ける走査線と、データ信号の供給を受けるデータ線に接続される画素を含む発光表示装置の駆動方法において、所定の周波数を持つ第１パルス信号を生成する段階と、前記第１パルス信号と前記走査信号を同期させて第２パルス信号を生成する段階と、前記第２パルス信号を利用して前記画素に供給される第１電源及び第２電源を生成する段階を含む発光表示装置の駆動方法を提供する。
【００３２】
より好ましくは、前記走査信号がターンオフ電圧に変化される時点に、前記第１パルス信号の上昇エッジを同期させて前記第２パルス信号を生成する。
【００３３】
また、前記走査信号がターンオフ電圧に変化される時点と前記第１パルス信号の下降エッジを同期させて前記第２パルス信号を生成する。
【発明の効果】
【００３４】
上述したように本発明の実施形態による直流／直流の変換機とこれを利用した発光表示装置及びその駆動方法によれば、走査信号がターンオフ電圧に変化する時、第１電源のリプル電圧がいつも一定の電圧値に設定されるため、水平ライン単位、またはフレーム単位に均一な輝度の映像を表示することができる。
【発明を実施するための最良の形態】
【００３５】
以下、本発明の好ましい実施形態を添付された図６ないし図１１を参照して詳細に説明する。
【００３６】
図６は本発明の実施形態による発光表示装置を示す図である。
【００３７】
図６を参照すれば、本発明の実施形態による発光表示装置は、走査線Ｓ１ないしＳｎ及びデータ線Ｄ１ないしＤｍの交差領域に形成された画素１４０を含む画像表示部１３０と、走査線Ｓ１ないしＳｎを駆動するための走査駆動部１２０と、データ線Ｄ１ないしＤｍを駆動するためのデータ駆動部１１０と、画素１４０に第１電源ＶＤＤ及び第２電源ＶＳＳを供給するためのＤＣ／ＤＣコンバータ１５０と、走査信号が上昇される時点に第１電源ＶＤＤの電圧（リプル電圧）が常に一定に維持されるようにする同期部１６０を備える。
【００３８】
走査駆動部１２０は、走査信号を生成し、生成された走査信号を第１走査線Ｓ１ないし第ｎ走査線Ｓｎに順次供給する。すると、水平ライン単位で画素１４０が順次選択される。
【００３９】
データ駆動部１１０は、走査信号が供給される度にデータ線Ｄ１ないしＤｍにデータ信号を供給する。すると、走査信号によって選択された画素１４０にデータ信号が供給され、これによって画素１４０からデータ信号に対応される光が発生される。
【００４０】
画像表示部１３０は、複数の画素１４０を備える。画素１４０各々は自身に供給されるデータ信号に対応される電流を発光素子ＯＬＥＤに供給し、画像表示部１３０から所定の画像が表示されるようにする。このために、画素１４０各々は発光素子ＯＬＥＤと、データ線Ｄ及び走査線Ｓに接続されて発光素子ＯＬＥＤを制御するための画素回路１４２を備える。発光素子ＯＬＥＤのアノード電極は画素回路１４２に接続され、カソード電極は第２電源ＶＳＳに接続される。このような発光素子ＯＬＥＤは画素回路１４２から供給される電流に対応される光を発生する。
【００４１】
画素回路１４２は第１トランジスタＭ１、第２トランジスタＭ２及びストレージキャバスタＣ備える。第１トランジスタＭ１は走査信号が供給される時にターンオンされてデータ信号をストレージキャパシターＣに供給する。ストレージキャパシターＣは第１トランジスタＭ１がターンオンされる時データ信号に対応される電圧を充電する。
【００４２】
第２トランジスタＭ２はストレージキャパシターＣに充電された電圧に対応して第１電源ＶＤＤから発光素子ＯＬＥＤに流れる電流量を制御する。すると、発光素子ＯＬＥＤからデータ信号に対応される光が発生される。
【００４３】
ＤＣ／ＤＣコンバータ１５０は示されていない外部電源部から供給される電圧を利用して第１電源ＶＤＤ及び第２電源ＶＳＳを生成し、生成された第１電源ＶＤＤ及び第２電源ＶＳＳを各々の画素１４０に供給する。
【００４４】
同期部１６０は走査駆動部１２０から少なくとも一つ以上の走査信号の供給を受ける。走査信号の供給を受けた同期部１６０は、第１電源ＶＤＤのリプルが一定の電圧の時に、走査信号がターンオフ電圧に変化されるようにＤＣ／ＤＣコンバータ１５０を制御する。
【００４５】
図７ａは図６に示されたＤＣ／ＤＣコンバータと同期部を示すブロック図である。
【００４６】
図７ａを参照すれば、本発明のＤＣ／ＤＣコンバータ１５０は発振機１５１、スイッチング制御部１５２、第１電源生成部１５３及び第２電源生成部１５４を備える。
【００４７】
同期部１６０は発振機１５１とスイッチング制御部１５２の間に接続される。このような本発明の実施形態においては、同期部１６０がＤＣ／ＤＣコンバータ１５０の外部に設置されたものを示しているが、実際に本発明から同期部１６０は図７ｂのようにＤＣ／ＤＣコンバータ１５０の内部に設置することもできる。そして、本発明では、第２電源ＶＳＳは図７ｃに示されたように外部から供給される電圧（例えば、グラウンド電圧）がそのまま利用されうる。
【００４８】
発振機１５１は所定の周波数を持つパルスを生成して同期部１６０に供給する。ここで、発振機１５１から生成されるパルスの周波数は、画像表示部１３０のインチ、解像図などを考慮して予め設定される。
【００４９】
同期部１６０は走査駆動部１２０から走査信号の供給を受け、発振機１５１から所定の周波数を持つパルス信号の供給を受ける。走査信号とパルス信号の供給を受けた同期部１６０は、走査信号とパルス信号を同期し、同期されたパルス信号をスイッチング制御部１５２に供給する。
【００５０】
これを詳細に説明すると、少なくとも一つ以上の走査信号とパルス信号の供給を受ける同期部１６０は、図８ａに示されたように走査信号がターンオフ電圧に変化された時点とパルス信号の上昇エッジを同期させる。つまり、同期部１６０は走査信号とパルス信号の上昇エッジを同期させ、同期されたパルス信号をスイッチング制御部１５２に供給する。ここで同期部１６０は図８ｂに示されたように走査信号がターンオフ電圧に変化される時点とパルス信号の下降エッジを同期させることができる。
【００５１】
スイッチング制御部１５２は同期部１６０から走査信号に同期されたパルス信号の供給を受ける。パルス信号の供給を受けたスイッチング制御部１５２はパルス信号の１周期の間第３トランジスタＭ３（又は第１スイッチング素子）及び第４トランジスタＭ４（又は第２スイッチング素子）を交互にターンオンさせる。
【００５２】
第１電源ＶＤＤは第３トランジスタＭ３がターンオン及びターンオフされる期間に対応して生成され、生成された第１電源ＶＤＤが画素１４０に供給される。そして、第２電源ＶＳＳは第４トランジスタＭ４がターンオン及びターンオフされる期間に対応して生成され、生成された第２電源ＶＳＳが画素１４０に供給される。
【００５３】
このような本発明のＤＣ／ＤＣコンバータ１５０は走査信号がターンオフ電圧に変化される時点にパルス信号の上昇エッジ又は下降エッジを同期させるため、走査信号がターンオフ電圧に変化される時に第１電源ＶＤＤのリプル電圧は常に一定に設定される。
【００５４】
図９を参照してこれを詳細に説明すれば、まず第１走査線Ｓ１に走査信号が供給されると第１トランジスタＭ１がターンオンされる。第１トランジスタＭ１がターンオンされるとストレージキャパシターＣの一方にデータ信号が供給され、ストレージキャパシターＣの他方に第１電源ＶＤＤが供給される。この時、ストレージキャパシターＣにはデータ信号に対応される所定の電圧が充電される。ここで、ストレージキャパシターＣに充電される電圧値は走査信号が上昇されて第１トランジスタＭ１がターンオフされる時点に決定される。つまり、第１トランジスタＭ１がターンオフされる時点に第１電源ＶＤＤの電圧値はリプルによって第３電圧Ｖ３に設定され、この第３電圧Ｖ３とデータ信号の差電圧に対応される電圧がストレージキャパシターＣに充電される。
【００５５】
同様に、第５走査線Ｓ５に走査信号が供給される時第５走査線Ｓ５と接続された第１トランジスタＭ１がターンオンされる。第１トランジスタＭ１がターンオンされるとストレージキャパシターＣの一方にデータ信号が供給されて、ストレージキャパシターＣの他方に第１電源ＶＤＤが供給される。この時、ストレージキャパシターＣにはデータ信号に対応される所定の電圧が充電される。ここで、ストレージキャパシターＣに充電される電圧値は、走査信号が上昇されて第１トランジスタＭ１がターンオフされる時点に決定される。つまり、第１トランジスタＭ１がターンオフされる時点に第１電源ＶＤＤの電圧値はリプルによって第３電圧Ｖ３に設定されて、この第３電圧Ｖ３とデータ信号の差電圧に対応される電圧がストレージキャパシターＣに充電される。
【００５６】
すなわち、本発明では走査信号と発振機１５１から発生されたパルス信号を同期させるため、走査信号がターンオフ電圧に変化する時、第１電源ＶＤＤのリプル電圧（例えば、第３電圧Ｖ３）は常に一定に設定される。従って、本発明では同一のデータ信号を印加する時、受領ラインごとに同一の輝度を持つ光が生成され、これによって均一性を確報することができる。また、本発明では走査信号がターンオフ電圧に変化する時第１電源ＶＤＤのリプル電圧が常に一定に維持されるため、フレームごとに輝度偏差が発生しない。
【００５７】
図１０はフレームごとに同一階調を持つデータ信号を印加する時、発光素子に供給される電流を示す図である。
【００５８】
図１０を参照すれば、本発明の実施形態では画素１４０に同一の階調を持つデータ信号を供給する時、フレームごとにほぼ同じ電流が発光素子に供給されることがわかる。
【００５９】
【表１】
2006091839.tif 000003
【００６０】
即ち、本発明では走査信号がターンオフ電圧に変化する時、第１電源ＶＤＤのリプル電圧が常に一定に設定されるため、表１に記載されたように同一階調を持つデータ信号が供給される時、画素１４０の発光素子ＯＬＥＤに流される電流は、フレームごとにほぼ同じに設定される。すなわち、本発明ではフレームごとに輝度の均一性を確保することができる。
【００６１】
一方、本発明では画素１４０の構造はさまざまに設定することができる。例えば、本発明の画素１４０の構造を図１１のように設定することができる。
【００６２】
図１１は、本発明の他の実施形態による画素の構造を示す回路図である。
【００６３】
図１１を参照すれば、本発明の他の実施形態による画素１４０は発光素子ＯＬＥＤと、データ線Ｄｍ、走査線Ｓｎ、発光制御線Ｅｎ及び発光素子ＯＬＥＤに接続される画素回路１４２を備える。
【００６４】
発光素子ＯＬＥＤのアノード電極は、画素回路１４２に接続され、カソード電極は第２電源ＶＳＳに接続される。ここで第２電源ＶＳＳは第１電源ＶＤＤより低い電圧、例えば、グラウンド電圧などに設定される。
【００６５】
画素回路１４２は、走査線Ｓｎ、及びデータ線Ｄｍに接続される第１トランジスタＭ１と、第１電源ＶＤＤと発光素子ＯＬＥＤ間に接続された第２トランジスタＭ２と、発光制御線Ｅｎ、発光素子ＯＬＥＤ、及び第２トランジスタＭ２に接続された第５トランジスタＭ５と、第１トランジスタＭ１、第１電源ＶＤＤ、及び第ｎ−１走査線Ｓｎ−１に接続された第３トランジスタＭ３と、第１ノードＮ１、第ｎ−１走査線Ｓｎ−１、及び第２トランジスタＭ２に接続された第４トランジスタＭ４と、第２ノードと第１電源ＶＤＤの間に接続されたストレージキャパシターＣｓｔと、第２ノードと第２トランジスタＭ２のゲート端子の間に接続された補償用キャパシターＣ２を備える。図９において、トランジスタ（Ｍ１ないしＭ５）がＰ型で示されたが、本発明はこれに限定されない。
【００６６】
第１トランジスタＭ１のゲート電極は、第ｎ走査線Ｓｎに接続され、第１電極はデータ線Ｄｍに接続される。そして、第１トランジスタＭ１の第２電極は第２ノードＮ２に接続される。ここで、第１電極はソース電極またはドレイン電極に設定され、第２電極は第１電極と異なる電極に設定される。例えば、第１電極がソース電極に設定されると第２電極はドレイン電極に設定され、第１電極がドレイン電極に設定されると第２電極はソース電極に設定される。第１トランジスタＭ１は第ｎ走査線Ｓｎに走査信号が供給される時、ターンオフされて第ｍデータ線Ｄｍからのデータ信号を第２ノードＮ２に供給する。
【００６７】
第３トランジスタＭ３のゲート電極は、第ｎ−１走査線Ｓｎ−１に接続され、第１電極は第１電源ＶＤＤに接続される。そして、第３トランジスタＭ３の第２電極は第２ノードＮ２に接続される。このような第３トランジスタＭ３は第ｎ−１走査線Ｓｎ−１に走査信号が供給される時、第１電源ＶＤＤからの電圧を第２ノードＮ２に供給する。
【００６８】
第４トランジスタＭ４のゲート電極は第ｎ−１走査線Ｓｎ−１に接続され、第１電極は第２トランジスタＭ２のゲート電極に接続される。そして、第４トランジスタＭ４の第２電極は第１ノードＮ１に接続される。このような第４トランジスタＭ４は第ｎ−１走査線Ｓｎ−１に走査信号が供給される時、第２トランジスタＭ２のゲート電極を第１ノードＮ１に接続させる。
【００６９】
ストレージキャパシターＣ１は、第ｎ走査線Ｓｎに走査信号が供給される時、第２ノードＮ２に供給されるデータ信号に対応される電圧を保存し、保存された電圧を１フレームの間維持する。
【００７０】
補償用キャパシターＣ２は、第ｎ−１走査線Ｓｎ−１に走査信号が供給される時、第２トランジスタＭ２の閾値電圧Ｖｔｈに相応する電圧を保存する。ここで、補償用キャパシターＣ２に保存された電圧は、駆動ＴＦＴ（ＤＴ）の閾値電圧Ｖｔｈを補償するための補償電圧として利用される。
【００７１】
第２トランジスタＭ２のゲート電極は、第４トランジスタＭ４の第１電極と補償用キャパシターＣ２に接続され、第１電極は第１電源ＶＤＤに接続される。そして、第２トランジスタＭ２の第２電極は第１ノードＮ１に接続される。このような第２トランジスタＭ２は自身のゲート電極に供給される電圧に対応して第１電源ＶＤＤから第１ノードＮ１に流れる電流を制御する。
【００７２】
第５スイッチング素子Ｍ５のゲート電極は、第ｎ発光制御線Ｅｎに接続され、第１電極は第１ノードＮ１に接続される。そして、第５スイッチング素子Ｍ５の第２電極は、発光素子ＯＬＥＤのアノード電極に接続される。このような第５スイッチング素子Ｍ５は第ｎ発光制御線Ｅｎに供給される発光制御信号に対応し、第２トランジスタＭ２から発光素子ＯＬＥＤに供給される電流の供給時点を制御する。
【００７３】
画素１４の動作過程を詳細に説明すれば、まず、第ｎ−１走査線Ｓｎ−１に走査信号が供給され、第ｎ発光制御線Ｅｎに発光制御信号が供給される。第ｎ発光制御線Ｅｎに発光制御信号が供給されると、第５トランジスタＭ５がターンオフされる。第ｎ−１走査線Ｓｎ−１に走査信号が供給されると、第３トランジスタＭ３及び第４トランジスタＭ４がターンオンされる。第３トランジスタＭ３、及び第４トランジスタＭ４がターンオンされると第２トランジスタＭ２がダイオード形態に接続され、これによって補償用キャパシターＣ２には第２トランジスタＭ２の閾値電圧Ｖｔｈに相応する補償電圧が保存される。
【００７４】
その後、第ｎ走査線Ｓｎに走査信号が供給される。第ｎ走査線Ｓｎに走査信号が供給されると、電圧が供給されて第１トランジスタＭ１がターンオンされる。第１トランジスタＭ１がターンオンされると、第ｍデータ線Ｄｍに供給されるデータ信号が第１トランジスタＭ１を経由して第２ノードＮ２に供給される。第２ノードＮ２にデータ信号が供給されると、ストレージキャパシターＣ１にはデータ信号に対応する電圧が充電される。この時、第２トランジスタＭ２のゲート電極にはストレージキャパシターＣ１に充電された電圧及び補償用キャパシターＣ２に充電された電圧が合わせられて供給される。すると、第２トランジスタＭ２は自身のゲート電極に供給される電圧に対応して第１電圧ＶＤＤから第５トランジスタＭ５に流れる電流を制御する。
【００７５】
その後、第ｎ発光制御線Ｅに発光制御信号が供給されない。そして、第５トランジスタＭ５がターンオンされて第２トランジスタＭ２から供給される電流を発光素子ＯＬＥＤに供給し、これによって発光素子ＯＬＥＤから電流に対応する光が発生する。
【００７６】
このような本発明の他の実施形態よる画素では補償用キャパシターＣ２に第２トランジスタＭ２の閾値電圧Ｖｔｈに対応する電圧を充電し、第２トランジスタＭ２の閾値電圧を補償するため均一な輝度の映像を表示することができる。また走査信号がターンオフされる時、第１電源ＶＤＤのリプル電圧が常に一定に設定されるため、水平ライン単位、及びフレーム単位で均一な輝度を表示することができる。
【００７７】
以上、添付の図を参照しながら本発明の好適な実施例について説明したが、前記説明は単に本発明を説明するためのものであり、意味限定や請求の範囲に記載された本発明の範囲を制限するためのものではない。したがって、前記説明によって当業者であれば、本発明の技術思想を逸脱しない範囲で各種の変更および修正が可能であることはいうまでもない。したがって、本発明の技術的保護範囲は明細書の詳細な説明に記載の内容に限定されず、特許請求の範囲によって決められるべきである。
【図面の簡単な説明】
【００７８】
【図１】従来の発光表示装置を示す図である。
【図２】従来の発光表示装置の駆動方法を示す波形図である。
【図３】図１に示されたＤＣ／ＤＣコンバータ構成を示すブロック図である。
【図４】走査信号がターンオフ電圧に変化される時第１電源のリプル電圧を示す図である。
【図５】第１電源のリプル電圧によってフレーム単位で発生されるピクセル電流の差を示すグラフである。
【図６】本発明の実施形態による発光表示装置を示す図である。
【図７ａ】図６に図示されたＤＣ／ＤＣコンバータと同期部を示すブロック図である。
【図７ｂ】図６に図示されたＤＣ／ＤＣコンバータと同期部を示すブロック図である。
【図７ｃ】図６に図示されたＤＣ／ＤＣコンバータと同期部を示すブロック図である。
【図８ａ】同期部からパルス信号と走査信号を同期させる過程を示す図である。
【図８ｂ】同期部からパルス信号と走査信号を同期させる過程を示す図である。
【図９】本発明において、走査信号がターンオフ電圧に変化される時第１電源のリプル電圧を示す図である。
【図１０】本発明において、同一階調値のデータ信号が供給される時フレーム単位で発生されるピクセル電流を示す図である。
【図１１】本発明の他の実施形態による画素を示す回路図である。
【符号の説明】
【００７９】
１０、１１０…データ駆動部、
２０、１２０…走査駆動部、
３０、１３０…画像表示部、
４０、１４０…画素、
４２、１４２…画素回路、
５０、１５０…ＤＣ／ＤＣコンバータ、
５１、１５１…発振機、
５２、１５２…スイッチング制御部、
５３、１５３…第１電源生成部、
５４、１５４…第２電源生成部、
１６０…同期部。
【図１】
2006091839.tif 000004
【図２】
2006091839.tif 000005
【図３】
2006091839.tif 000006
【図４】
2006091839.tif 000007
【図５】
2006091839.tif 000008
【図６】
2006091839.tif 000009
【図７ａ】
2006091839.tif 000010
【図７ｂ】
2006091839.tif 000011
【図７ｃ】
2006091839.tif 000012
【図８ａ】
2006091839.tif 000013
【図８ｂ】
2006091839.tif 000014
【図９】
2006091839.tif 000015
【図１０】
2006091839.tif 000016
【図１１】
2006091839.tif 000017